(57)【要約】【課題】本発明は電流を大きくすることができ、相手物との最適化も図れ、低背化も可能でコストアップにも繋がらない電気接点構造を提供する。【解決手段】本目的はポリイミド１５層を挟むように銅（Ｃｕ）箔４０が表裏両側に配置されるＦＰＣ１４に、一方方向からエッチング加工若しくはレーザ加工により所定の位置に複数のブラインドホール加工を施すことで他方（裏側）の銅箔４０を露出させ、ブラインドホール２７を加工すると同時に複数のスルーホール加工も行い、表裏両側の銅箔４０上とブラインドホール２７内とスルーホール２２内に銅めっき５０を施し、ブラインドホール２７並びにスルーホール２２を介して表裏両側の銅箔４０を導通させることにより達成できる。【選択図】  図２
2007157620.tif 000002
【特許請求の範囲】
【請求項１】
ポリイミド層を挟むように銅（Ｃｕ）箔が表裏両側に配置されるフレキシブルプリント基板（ＦＰＣ）に、一方方向からエッチング加工若しくはレーザ加工により所定の位置に複数のブラインドホール加工を施すことで他方（裏側）の銅箔を露出させ、前記ブラインドホールを加工すると同時に複数のスルーホール加工も行い、表裏両側の銅箔上と前記ブラインドホール内と前記スルーホール内に銅めっきを施し、前記ブラインドホール並びに前記スルーホールを介して表裏両側の銅箔を導通させることを特徴とする電気接点構造。
【請求項２】
前記ブラインドホール内に、相手物の形状に適合した形状の接点を設けることを特徴とする請求項１記載の電気接点構造。
【請求項３】
前記ブラインドホール内に、金属ボールを金属ペースト若しくは導電性ペーストにより硬化固定することを特徴とする請求項２記載の電気接点構造。
【請求項４】
前記ブラインドホール内に、前記銅箔表面までめっきを施し、前記めっき上に山並み状の突起接点を少なくとも１個以上設けることを特徴とする請求項２記載の電気接点構造。
【請求項５】
少なくとも前記金属ボール若しくは前記突起接点の相手物と接触する部分に貴金属めっきを施すことを特徴とする請求項３または４記載の電気接点構造。
【請求項６】
前記銅めっき上に、前記ブラインドホールと前記スルーホールとを除いた部分にカバーレイを配置することを特徴とする請求項１から５項のうち１項記載の電気接点構造。
【発明の詳細な説明】
【技術分野】
【０００１】
この発明は、フレキシブルプリント基板（以下「ＦＰＣ」という）を用いた電気接点構造に関するもので、特に相手物の形状に適合した形状で且つ、表裏両面側の銅箔を導通させたものである。
【背景技術】
【０００２】
従来、回路基板と電子部品との間の接触にあたっては、一方が平面上の場合、もう一方を突出させる（例えば、略半球状）場合が多々あり、また、場合によっては一方が突出している場合、もう一方を平面状にすることがある。
本出願人は、特許文献１（特開２００４−３３５６６６）のような構造の電気接点を提案していたが、電気接点間の間隔が狭小化すると、ある一定高さの接点を形成しようとすると、接点の径も大きくなり隣接する電気接点同士が近接してしまい、しいては絶縁不良や短絡に繋がると言った課題や、隣接する電気接点同士が近接しないようにすると、所定の高さが得られないと言った課題があったため、特許文献２（特願２００５−２７７３２０）のような構造のものをさらに提案した。
また、従来は、図４に示すように、下述する特許文献１や特許文献２のような構造の接点を、ＦＰＣのどちらか一方か若しくは両方の銅箔上に配置することにより電気接点を設けていた。
【特許文献１】特開２００４−３３５６６６の要約によると、止め孔上の導電体自体がコネクタの接点になるよう、止め孔中に金属を充填させる工程に連続して、止め孔上の導電体が盛り上がり半球状となるように、金属を析出することを目的に、止め孔内は当初低電流密度、例えば０．５〜１０Ａ／ｄｍ２の電流密度でメッキを行い、止め孔上面に達した後に電流を調整して、当初の５倍〜１０倍の電流密度を保ちながら、止め孔上の導電体が径方向の大きさと高さ方向の大きさの比が略１対１に近い半球状となるように、金属を析出する構造のものが開示されている。
【特許文献２】特願２００５−２７７３２０の要約によると、電気接点同士の接続不良に繋がることがなく、所定の高さを形成することができる電気接点とその電気接点の製造方法を提供することを目的とし、電気接点は銅箔上に突出する電気接点であって、銅箔上に金属ペースト層を塗布するとともに金属ペースト層に金属ボールを焼結固定し、少なくとも金属ボールの相手物と接触する部分に金めっきを施す構造の電気接点と、電気接点の製造方法は銅箔上に突出する電気接点の製造方法において、第一工程として銅箔上に所定の大きさの金属ペースト層を塗布し、第二工程として金属ペースト層上に金属ボールを搭載した後に、金属ボールを銅箔方向に加圧し、第三工程として所定の温度により金属ボールを焼結固定し、第四工程として少なくとも金属ボールの相手物との接触部分に金めっきを施す電気接点の製造方法とが開示されている。
【発明の開示】
【発明が解決しようとする課題】
【０００３】
近年、電気・電子機器の小型化が進むにつれ、電気コネクタも小型化や狭小ピッチ化が進んできている。また、電気接点としては、相手物の形状に適合するような最適化の要求もある。
従来で述べたように、ＦＰＣの銅箔上に特許文献１や特許文献２の構造の接点を配置する構造の電気接点では、銅箔が薄いために大きな電流を流すことが出来ないと言った課題があった。銅箔を厚くすれば、大きな電流を流すことはできるが、屈曲・柔軟性が阻害されるため銅箔を厚くすることは出来なかった。
また、特許文献１や特許文献２の構造の接点をＦＰＣの銅箔上に配置したのでは、  銅めっきとカバーレイとの密着性が悪いためにカバーレイに特殊な処理を施す必要が生じるので非常に手間が掛かっており、しいてはコストアップに繋がってしまう。
【０００４】
本発明は、このような従来の問題点に鑑みてなされたもので、電流を大きくすることができ、相手物との接触最適化も図れ、コストアップにも繋がらない電気接点構造を提供せんとするものである。
【課題を解決するための手段】
【０００５】
上記目的は、ポリイミド１５層を挟むように銅（Ｃｕ）箔４０が表裏両側に配置されるフレキシブルプリント基板（ＦＰＣ）１４に、一方方向からエッチング加工若しくはレーザ加工により所定の位置に複数のブラインドホール加工を施すことで他方（裏側）の銅箔４０を露出させ、前記ブラインドホール２７を加工すると同時に複数のスルーホール加工も行い、表裏両側の銅箔４０上と前記ブラインドホール２７内と前記スルーホール２２内に銅めっき５０を施し、前記ブラインドホール２７並びに前記スルーホール２２を介して表裏両側の銅箔４０を導通させることにより達成できる。
【０００６】
請求項２の電気接点構造は、前記ブラインドホール２７内に、相手物の形状に適合した形状の接点を設ける。
また、請求項３の電気接点構造は、前記ブラインドホール２７内に、金属ボール４４を金属ペースト４２若しくは導電性ペーストにより硬化固定する。
さらに、請求項４の電気接点構造は、前記ブラインドホール２７内に、前記銅箔表面までめっき５４を施し、前記めっき上に山並み状の突起接点４５を少なくとも１個以上設ける。
【０００７】
請求項５の電気接点構造は、少なくとも前記金属ボール４４若しくは前記突起接点の相手物と接触する部分に貴金属めっき５２を施す。
また、請求項６の電気接点構造は、前記銅めっき５０上に、前記ブラインドホール２７と前記スルーホール２２とを除いた部分にカバーレイ４６を配置する。
【発明の効果】
【０００８】
以上の説明から明らかなように、本発明のような電気接点構造を用いると、次のような優れた顕著な効果が得られる。
（１）ポリイミド１５層を挟むように銅（Ｃｕ）箔４０が表裏両側に配置されるＦＰＣ１４に、一方方向からエッチング加工若しくはレーザ加工により所定の位置に複数のブラインドホール加工を施すことで他方（裏側）の銅箔４０を露出させ、前記ブラインドホール２７を加工すると同時に複数のスルーホール加工も行い、表裏両側の銅箔４０上と前記ブラインドホール２７内と前記スルーホール２２内に銅めっき５０を施し、前記ブラインドホール２７並びに前記スルーホール２２を介して表裏両側の銅箔４０を導通させているので、大きな電流を流すことができ、電気コネクタの低背も可能でコストアップにも繋がらないし、一つの信号に対して回路構成が２回路となるため万が一の銅箔回路断線に対する信頼性冗長度が倍増されることになる。
（２）請求項２の電気接点構造は、前記ブラインドホール２７内に、相手物の形状に適合した形状の接点を設けているので、相手物との最適化も可能で、大きな電流を流すことができ、電気コネクタ１０の低背も可能でコストアップにも繋がらないし、一つの信号に対して回路構成が２回路となるため万が一の銅箔回路断線に対する信頼性冗長度が倍増されることになる。
（３）請求項３の電気接点構造は、前記ブラインドホール２７内に、金属ボール４４を金属ペースト４２若しくは導電性ペーストにより硬化固定しているので、相手物との接触最適化も可能で、大きな電流を流すことができ、電気コネクタ１０の低背も可能でコストアップにも繋がらないし、一つの信号に対して回路構成が２回路となるため万が一の銅箔回路断線に対する信頼性冗長度が倍増されることになる。
（４）請求項４の電気接点構造は、前記ブラインドホール２７内に、前記銅箔表面までめっきを施し、前記めっき上に山並み状の突起接点４５を少なくとも１個以上設けているので、相手物との接触最適化も可能で、大きな電流を流すことができ、電気コネクタ１０の低背も可能でコストアップにも繋がらないし、一つの信号に対して回路構成が２回路となるため万が一の銅箔回路断線に対する信頼性冗長度が倍増されることになる。
（５）請求項５の電気接点構造は、少なくとも前記金属ボール４４若しくは前記突起接点の相手物と接触する部分に貴金属めっき５２を施しているので、安定した導通を得ることができる。
（６）請求項６の電気接点構造は、前記銅めっき５０上に、前記ブラインドホール２７と前記スルーホール２２とを除いた部分にカバーレイ４６を配置しているので、相手物との接触最適化も可能で、大きな電流を流すことができ、電気コネクタ１０の低背も可能でコストアップにも繋がらないし、一つの信号に対して回路構成が２回路となるため万が一の銅箔回路断線に対する信頼性冗長度が倍増されることになり、金属ボール４４の保持強度アップにもなる。
【発明を実施するための最良の形態】
【０００９】
図１から図３に基づいて、本発明の電気接点構造について説明する。本実施例では本発明の電気接点構造を用いた電気コネクタ１０について説明する。
図１は本発明の電気接点構造を説明する図面である。図２（Ａ）はブラインドホール上に金属ボールを配置した断面図であり、（Ｂ）はブラインドホールに突起接点を設けた断面図であり、（Ｃ）は（Ｂ）のＡ−Ａで断面した断面図である。図３は一方面側のブラインドホール上に突起接点を配置し、もう一方面側のブラインドホール上に金属ボールを配置したコネクタの断面図である。
一実施例の電気コネクタは、少なくともエラストマー１６と導電細線１２とＦＰＣ１４層とを備えている。
【００１０】
まず、図１に基づいて、電気接点構造について説明する。ポリイミド１５層を挟むように銅（Ｃｕ）箔４０が表裏両側に配置されるＦＰＣ１４に、一方方向からエッチング加工若しくはレーザ加工により所定の位置に複数のブラインドホール加工を施すことで他方（裏側）の銅箔４０を露出させ、前記ブラインドホール２７を加工すると同時に複数のスルーホール加工も行い、表裏両側の銅箔４０上と前記ブラインドホール２７内と前記スルーホール２２内に銅めっき５０を施し、前記ブラインドホール２７並びに前記スルーホール２２を介して表裏両側の銅箔４０を導通させる構造になっている。表裏両側の銅箔４０を導通させることで電流を大きくすることができるようになる。
【００１１】
前記ブラインドホール２７内には、相手物の形状に適合するような接点が設けることで、接点の最適化が図られている。例えば、相手物が平坦な場合には前記ブラインドホール２７内に設ける接点としては図２（Ａ）のように金属ボール４４を配置させることで突出させている。また、相手物が突出している場合には図２（Ｂ）のように山並み状の突起接点４５を設けている。
【００１２】
図２（Ａ）の金属ボール４４を用いた電気接点について説明する。前記ブラインドホール２７内に金属ペースト層４２若しくは導電性ペースト層を塗布しておき、その上に金属ボール４４を押圧しながら前記銅めっきと接触した状態で硬化固定する。前記金属ボール４４には少なくとも相手物との接触部分に導電性のよい貴金属めっき５２が施すことが望ましい。
【００１３】
図２（Ｂ）の突起接点４５を用いた電気接点について説明する。前記ブラインドホール２７内に、前記銅箔４０表面までめっき５４を施し、前記めっき上に山並み状の突起接点４５を少なくとも１個以上設けている。山並み状突起接点４５は、まず銅めっきを前記銅箔４０表面まで施した後にエッチングによって図２（Ｂ）のような形状に形成する。前記突起接点４５には少なくとも相手物との接触部分に導電性のよい貴金属めっき５２が施すことが望ましい。
【００１４】
前記銅めっき５０上に、前記ブラインドホール２７と前記スルーホール２２とを除いた部分にカバーレイ４６を配置する。カバーレイ４６を配置することで、前記金属ボール４４を安定した位置にバランス良く硬化固定することができ、前記カバーレイ４６の開口角度は３０°〜６０°にすることが望ましい。また、前記突起接点４５を形成する意味でも、前記ブラインドホール２７内に銅めっきを施し易くなる。
【００１５】
次に、ＦＰＣ層１４について説明する。前記ＦＰＣ１４は、ポリイミド１５層を挟むように銅（Ｃｕ）箔４０が表裏両側に配置されている。前記相手物の接点に対応する位置に、電気接点２０を設けるために一方方向からエッチング加工若しくはレーザ加工によりブラインドホール加工を施すことで他方（裏側）の銅箔４０を露出させ、前記ブラインドホール２７を加工すると同時に複数のスルーホール加工も行う。その後に、表裏両側の銅箔４０上と前記ブラインドホール２７内と前記スルーホール２２内に銅めっき５０を施し、前記ブラインドホール２７並びに前記スルーホール２２を介して表裏両側の銅箔４０を導通させる。その後に、前記電気接点２０の形状の最適化を図る意味から相手物の接点形状に適合するように、上述したような金属ボール４４の配置や突起接点４５の形成を行なっている。金属ボール４４の大きさや突起接点４５の大きさは接続安定性や電気コネクタ１０の小型化や電気接点２０間のピッチ等を考慮して適宜設計する。
【００１６】
前記ＦＰＣ１４の電気接点２０の周囲には、略Ｕ字形状をしたスリット２２が設けられている。該スリット２２は、相手コネクタの接点と接続した際に、前記エラストマー１６の弾性によって、前記電気コネクタ１０の電気接点２０が摺動するようにするためのものである。前記スリット２２の大きさは、このような役割とコネクタ１０の小型化などを考慮して適宜設計する。前記電気接点２０は、図１のように銅めっき５０によってスルーホール２６と接続され、該スルーホール２６は前記導電細線１２と接続する部分である。前記スルーホール２６の大きさは、前記導電細線１２が入り、半田付け等によって接続できればよく、コネクタ１０の小型化や導電細線１２の強度や接続性を考慮して適宜設計する。
【００１７】
次に、導電細線１２について説明する。前記導電細線１２は略円柱状をしており、両端部が細い径で、中央部が太い径といった２段になっている。前記導電細線１２は金属製であり、導電特性の良い金属、例えば黄銅製棒状体を所定寸法に切断し、両端部分を更に小径になるように加工したものである。両端部分は前記スルーホール２６に入る部分であり、両端部分の径は前記スルーホール２６に入り、半田付けによって接続できるように適宜設計している。中央部分の径は、前記エラストマー１６に埋設する部分であり、コネクタ１０の小型化や狭ピッチ化や導電性を考慮して適宜設計している。それぞれの径部分の長さは、前記ＦＰＣ１４の厚さや前記エラストマー１６の厚さを考慮して適宜設計する。
【００１８】
次に、エラストマー１６について説明する。前記エラストマー１６には、前記導電細線１２を挿入するための挿入孔２８が設けられ、該挿入孔２８の大きさは前記導電細線１２が挿入できればよく、前記導電細線１２の保持力等を考慮して適宜設計する。本実施例では、前記導電細線１２の中央部分の径より０．０２ｍｍ程度小さくしている。
【産業上の利用可能性】
【００１９】
本発明の活用例としては、回路基板と電子部品との間に嵌挿される電気コネクタ１０に活用され、特に相手物の形状に適合した形状で且つ、表裏両面側の銅箔を導通させたものである。
【図面の簡単な説明】
【００２０】
【図１】電気接点構造を説明する図面である。
【図２】（Ａ）  ブラインドホール上に金属ボールを配置した断面図である。（Ｂ）  ブラインドホールに突起接点を設けた断面図である。（Ｃ）  （Ｂ）のＡ−Ａで断面した断面図である。
【図３】一方面側のブラインドホール上に突起接点を配置し、もう一方面側のブラインドホール上に金属ボールを配置したコネクタの断面図である。
【図４】従来の電気接点構造を示す図面である。
【符号の説明】
【００２１】
１０      電気コネクタ
１２      導電細線
１４      ＦＰＣ（フレキシブルプリント基板）
１５      ポリイミド
１６      エラストマー
１８      電気接触子
２０      電気接点
２２      Ｕ字状スリット
２６      スルーホール
２７      ブラインドホール
２８      挿入孔
４０      銅箔
４２      金属ペースト層
４４      金属ボール
４５      突起接点
４６      カバーレイ
４８      貫通孔
５０      銅めっき
５２      貴金属めっき
５４      めっき
【図１】
2007157620.tif 000003
【図２】
2007157620.tif 000004
【図３】
2007157620.tif 000005
【図４】
2007157620.tif 000006